(57)【特許請求の範囲】
【請求項１】
可撓性担持テープ（２０）と、体液中の分析物を検出するために前記担持テープ（２０）上に離間して配置され、体液中の分析物を検出するための複数の検査領域（１４）と、を有する体液を分析するための検査テープにおいて、
前記担持テープ（２０）がさらに、前記担持テープ（２０）の送り中にその位置を非接触で検出または記録するための標識領域（１２）を備え、それぞれの標識領域が、前記担持テープ（２０）の長さ方向において連続した前記検査領域（１４）間のテープ部に延在し、前記担持テープ（２０）によって移動した距離を、移動した距離を検出するためのセンサにより検出するために距離スケールを形成することを特徴とする体液を分析するための検査テープ。
【請求項２】
前記テープ部の前記検査領域（１４）を含む部分には標識領域が設けられていないことを特徴とする請求項１記載の検査テープ。
【請求項３】
前記標識領域（１２）が、変化量の距離スケールを形成することを特徴とする請求項１または２記載の検査テープ。
【請求項４】
テープ送りを位置制御することによって、前記検査領域（１４）を使用位置に継続して配置することができることを特徴とする請求項１〜３のいずれか１項に記載の検査テープ。
【請求項５】
前記標識領域（１２）が、交互に配置された明るい部分と暗い部分を有するラスター帯片（２２）によって形成されていることを特徴とする請求項１〜４のいずれか１項に記載の検査テープ。
【請求項６】
前記標識領域（１２）が、テープの長さ方向に互いに変位して配置された二条の平行ラスター帯片（２２）を有することを特徴とする請求項１〜５のいずれか１項に記載の検査テープ。
【請求項７】
前記標識領域（１２）が、絶対値によってコード化された距離スケールを形成することを特徴とする請求項１または２記載の検査テープ。
【請求項８】
未使用検査テープの供給部（４６）と使用済み検査テープの廃棄部（４８）とを有する請求項１〜７のいずれか１項に記載の検査テープを格納するためのテープ・カセット（４４）。
【請求項９】
体液中の分析物を検出するための検査領域（１４）が設けられた検査テープ（１０）、前記検査領域（１４）を配置するためのテープ送り装置（１６）、およびテープ送り中にテープ位置を非接触で検出または記録するために前記検査テープ（１０）の上に設けられた標識領域（１２）を含む位置検出装置（１８）を有する分析装置であって、それぞれの標識領域が、前記担持テープ（２０）の長さ方向において連続した前記検査領域（１４）間のテープ部に延在し、前記担持テープ（２０）によって移動した距離を、前記分析装置に設けられた移動した距離を検出するためのセンサにより検出するために距離スケールを形成することを特徴とする分析装置。
【請求項１０】
前記位置検出装置（１８）が、テープ送り中の送りの方向と送り距離を、前記検査テープ（１０）上で直接検出することを特徴とする請求項９記載の分析装置。
【請求項１１】
前記位置検出装置（１８）が、前記検査領域（１４）を走査する計測ユニット（５２）からテープ沿いに予め決められた距離だけ離間して配置されていることを特徴とする請求項９または１０記載の分析装置。
【請求項１２】
前記位置検出装置（１８）が、テープ送り中に前記標識領域（１２）を非接触走査するために、前記検査テープ（１０）の横に配置されたセンサ手段（３０）を有することを特徴とする請求項９〜１１のいずれか１項に記載の分析装置。
【請求項１３】
前記テープ送り装置（１６）が、前記位置検出装置（１８）に接続されて、前記検査テープ（１０）を所要の位置に送るための駆動制御装置（３２，３４）を有することを特徴とする請求項９〜１２のいずれか1項に記載の分析装置。
【請求項１４】
前記テープ送り装置（１６）が、前記位置検出装置（１８）の出力信号に応じて、テープ送り方向とは逆の方向に動作することができる駆動装置（３６）を有することを特徴とする請求項９〜１３のいずれか１項に記載の分析装置。
【発明の詳細な説明】
【技術分野】
【０００１】
本発明は、可撓性の担持テープと、体液中の分析物を検出するためにその上に離間して配置された複数の検査領域を有する体液を分析するための検査テープに関する。この発明は、また、該検査テープを分析するための分析装置に関する。
【０００２】
そのような検査テープは、自動的に作動し、また、必要な分析を素人の手で簡単迅速に行うことができる携帯型装置を用いて、血液や尿などの体液に含まれる成分を検出するために使用しうる。従来技術による個別の検査片に替えて、巻取られた検査テープには、適切な検査用薬剤が塗布された複数の検査領域が連続的に配置されている。後で、たとえば光学的分析器によって検査を行うために、テープを繰り出すことによって使用位置に配置された検査領域に体液が塗られる。検査領域を測定部位または塗布部位に配置する際、摩擦、巻取りスプールに形成されたテープ・ロールの直径の増大、およびその果である速力の変化によってテープ送り経路に発生する機械的負荷モーメントの変動がその精度に対していかなる影響も与えるべきではない。この目的のために、軸に装着された位置信号発信器または軸に連結された機械要素を有する位置決め駆動装置を用いる場合、構成要素の機械的誤差、テープ・ロールの直径の変動、およびテープの滑りが、所望の目標位置からのずれを発生させうる。
【背景技術】
【０００３】
この出願人による独国特許第１０３４３８９６号明細書には、とりわけ使用者への情報または機器の特殊機能のための種々の機能領域を検査領域に隣接して配置した検査テープが開示されている。
【発明の開示】
【発明が解決しようとする課題】
【０００４】
このようなことから、この発明は、先行技術をさらに改良して、一般的な製品の、特に位置決め精度という機能を最適化することを目的とする。
【課題を解決するための手段】
【０００５】
この目的は、特許請求の範囲の独立請求項に記載された特徴を組み合わせることによって達成できると提言する。この発明による有利な実施形態とさらなる発展例は、従属請求項から得られる。
【０００６】
この発明は、配置される物体の上で距離測定または位置判定を直接行うことができるようにするという思想を基礎にしている。したがって、この発明では、テープ送り中の距離を記録するまたは位置を検出するための標識領域を担持テープに設けることを提案する。そのようにすることによって、テープ駆動装置から独立して配置された検査領域と付加機能部の位置を直接判定することによって、迅速かつ正確な位置決めが可能になる。これにより、検査領域の長さを小さくして、検査テープに設けられる隙間の間隔を低減することができる。また、正確な塗布と正確な位置判定ができるために、塗布する体液の量を低減することができる。テープ製造時に、切断や接着のような製造工程を正確に実行できることによる利点もある。
【０００７】
標識領域の各々を、テープ全体にわたり、テープの長さ方向において連続した検査領域間に延在させるとともに、検査領域を含む部分には標識領域を設けないようにする方が有利である。しかし、標識領域をテープに沿って、たとえば裏面または縁に沿って、連続して配置することも、理論的には可能である。
【０００８】
また、接触せずに標識領域の位置検出ができるように構成する方が有利である。好ましい実施形態によると、検査領域は、位置制御式テープ送り装置によって連続的に使用位置に配置される。
【０００９】
別の有利な実施形態において、標識領域は、加算的に走査可能な距離計測器を形成している。この距離計は、好ましくは明るい部分と暗い部分が交互に配置されたラスター帯片によって標識領域を構成することによって簡単に形成することが可能である。さらに別の好ましい実施形態においては、交互に配置された明るい部分と暗い部分は、金属によって形成されている。これらは、電気的または磁気的に走査できる。
【００１０】
また、テープ送り中にその送り方向に関する情報を取得するために、標識領域を互いに平行な二条のラスター帯片によって構成するとともに、テープの長さ方向に互いに部分的にずらして配置することによって、送り方向によって決まる位相ずれを用いて走査できるようにする方が有利である。
【００１１】
標識領域を、絶対値によってコード化された、たとえばグレー・コード、によって距離計測器に構成することも想定できる。
【００１２】
検査テープは、未使用テープ供給部分と使用済みテープ廃棄部分としてテープ・カセットに収容する方が有利である。
【００１３】
この発明は、また、体液中の分析物を検出するための検査領域が設けられた検査テープ、検査領域を配置するためのテープ送り装置、およびテープ送り中の距離を記録するために検査テープ上に配置された標識領域を含む位置検出装置を有する分析装置に関する。
【００１４】
駆動装置を最も効果的に制御できるようにするために、位置検出装置が、送りの方向と送り距離を送り中の検査テープ上で直接検出する方が有利である。
【００１５】
別の好ましい実施形態においては、位置検出装置が、検査領域を走査する計測ユニットからテープ沿いに予め決められた距離だけ離間した位置に配置されている。
【００１６】
自己同期して読み取るためには、位置検出装置が、検査テープの横に配置され、テープ送り中に好ましくは非接触の方法で標識領域を走査するセンサ手段を有する方が有利である。
【００１７】
とりわけ好ましい実施形態においては、テープ送り装置が、位置検出装置に接続されて、検査テープを予め決められた目標位置に送るための駆動制御装置を有する。これにより、目標位置への迅速かつ正確な送りが可能になり、使用者の待ち時間も低減することができる。
【００１８】
さらに、強い制動機能を働かせるために、テープ送り装置が、位置検出装置の出力信号に応じて、テープ送り方向とは逆の方向に動作することができる駆動ユニットを有する方が有利である。テープ送りは、駆動ユニットに逆電圧を短時間印加する、即ち電圧が好適なレベルになったときに電圧を逆にする、ことによって停止するまで、積極的に、そして、強力に制動される。
【発明を実施するための最良の形態】
【００１９】
以下、図面に概略を示した例示としての実施形態に基づき、この発明についてさらに説明する。
【００２０】
図１に示す分析装置は、距離標識領域１２と検査領域１４が設けられた検査テープ１０、検査領域１４を使用位置に継続して配置するためのテープ送り装置１６、およびテープの瞬間位置を検出してテープ送り装置１６を動作させるために標識領域１２を走査する位置検出・距離記録装置１８を有する。
【００２１】
図１に示したように、検査テープ１０は、テープの送り方向に離間して配置された複数の検査領域１４を担持する連続した担持薄片２０を有する。検査領域１４には、塗布された体液中の成分つまり分析物を検出するための固形の試薬が配置されている。とりわけ塗布された流動性血液の血糖を検出することを想定している。
【００２２】
標識領域１２は、テープの送り方向の検査領域１４と検査領域１４のあいだにあるテープ部の担持薄片２０に設けられている。例示した実施形態においては、テープに沿って互いにずれている二条の平行したラスター帯片２２を備える。ラスター帯片は、互い違いの明るい透明部２４と暗い部分２６を有し、詳細は後述するが、互いが位相ずれを有する走査可能距離計を構成している。
【００２３】
位置検出装置１８は、光電子光学式のセンサ３０とその入力側において情報交換を行う信号処理部２８を有する。検査テープ１０の横の位置に配置されたセンサ３０は、それぞれ配置されたラスター帯片２２を光のバリアのようにして走査して、テープ送り中に間欠的な電気的インパルスを信号処理部２８の計数器に送り出す。帯片が変位しているために、計数用のインパルスは、９０°の位相ずれを持って記録されるとともに、送られた距離に加えて送り方向もテープ１０から直接記録される。
【００２４】
テープ送り装置１６は、検査テープ１０の位置決め用駆動装置３６を動作させるための補正要素３４を備えた制御部３２を有する。比較器３８は、既定距離装置４０と位置検出装置１８の出力値の差を制御部３２に入力するために用いられる。これにより、検査領域１４を意図した測定位置に迅速かつ正確に配置することが可能になる。
【００２５】
テープ送り中にセンサ３０の横を通過する明るい透明部２４と暗い部分２６の移動に基づいて位置が検出または記録されるために、結果として信号端部が記録装置１８によって記録される。帯片２２の明るい透明部２４と暗い部分２６は、テープの長さ方向に一定の長さ、つまり予め決められた間隔、を有する。信号処理部２８の計数器が、この信号端部の頻度を加算する。したがって、この計数値が、テープ１０の移動距離に直接比例することになる。
【００２６】
既定距離装置４０は、比較器３８に予め設定された計数値を時系列的に送り出す。比較器において、予め設定された計数値と信号処理部２８から出力された計数値の差を算出する。制御部３２は、この差に基づいて駆動装置を動作させることができる。
【００２７】
担持薄片２０は、テープの一定の送り距離だけラスター帯片２２を設けることなく、たとえば白色に印刷することもできる。暗い部分２６が最初に現われる前にテープ１０のこの白色領域がセンサ３０の横を通過した場合、この位置が絶対的な開始位置としての基準点になり、装置１８に入力されるとともに、その位置から上述した加算が開始される。
【００２８】
図２は、このような検査テープを組み込んだ携帯式分析装置であるカセット装置４２を示す。テープ・カセット１０は、未使用の検査テープ用の供給スプール４６と、使用済み検査テープ用の駆動装置３６付き巻取り・廃棄スプール４８を有する。試料としての液体（血液）は、屈曲した先端部５０の検査領域に塗布される。分析物（グルコース）は、計測ユニット５２を用いて反射式測光法によって検出される。計測ユニット５２は、光案内路として設計されている先端部５０を介し、透明担持薄片２０を通して使用位置に配置された活性を有する検査領域１４に光学的に連結されている。検査領域１４は、テープを適切に送ることによって継続して使用位置に配置される。このようにして、患者は、使用済み部を交換する必要なしに、自己管理のための検査を複数回実行することができる。
【００２９】
測定位置である案内路先端部５０に配置された検査領域１４の位置は、そこから所定の大きさだけ変位、すなわち偏位して離れた位置に配置される位置検出装置１８によって判定される。テープ１０が送られて予め決められた件数の明るい透明部２４と暗い部分２６の通過が記録されたとき、活性化されている検査領域１４が、位置検出装置１８の偏位距離を考慮に入れた上で光学式計測ユニット５２上方の目標位置に配置される。偏位した位置に配置することによって、（遮光ができないという）光学上の、また、（先端部５０領域の大きさが制限されているという）機構上の重要領域の課題を解決することができる。さらに、位置検出装置１８は、検査領域１４を用いて検査しているあいだにもテープ１０の位置を監視することができる。
【００３０】
テープ送りは、可撓性担持テープ２０に張力が加えられたときにだけ、即ち、図２に示した実施形態においては、巻取りスプール４８を時計回りに回転させたときに行われる。しかし、受承位置に到達する前に速やかに制動するため、スプール駆動装置３６には、逆方向の駆動モーメント、即ち大きい制動モーメント、が短時間掛けられる。これは、制御装置３２，３４によって逆電圧を制御して印加することによって達成可能であり、この場合、供給スプール４６側のばねが装着されたテープ・テンショナ５４が、必要な逆方向の張力をテープに確実に掛ける。距離標識領域１２を利用して、位置検出装置１８は、また、逆方向の過度な駆動モーメントによるテープ送り方向の逆転を検出し、行き過ぎることなく目標位置に配置されるよう遅延なく駆動装置のスイッチを遮断する。また、目標位置を通過した場合、基本的にはテープを必要な長さだけ後退させることが可能である。
【図面の簡単な説明】
【００３１】
【図１】距離標識領域が設けられた検査テープを処理するための分析装置のブロック図である。
【図２】分析装置が組み込まれた携帯式機器の略断面図である。
【符号の説明】
【００３２】
１０  テープ・カセット（検査テープ）
１２  距離標識領域
１４  検査領域
１６  テープ送り装置
１８  位置検出装置
２０  担持薄片
２２  ラスター帯片
２４  明るい透明部
２６  暗い部分
２８  信号処理部
３０  センサ
３２  制御装置
３４  制御装置（補正要素）
３６  位置決め用駆動装置
３８  比較器
４０  既定距離装置
４２  カセット装置
４４  テープ・カセット
４６  供給スプール
４８  巻取り・廃棄スプール
５０  先端部
５２  計測ユニット
５４  テープ・テンショナ
【図１】
0004741426.tif 000002
【図２】
0004741426.tif 000003